(57)【要約】  【課題】遊技媒体計数機から排出される複数種の遊技媒体を、同一の遊技媒体に分割して排出させることが可能な遊技媒体分配装置を提供する。  【解決手段】遊技媒体が投入されるホッパー２が連続するよう複数並設させ、各ホッパー２は同時に投入された遊技媒体がホッパー間２１ｅからこぼれないように接続されており、各ホッパー２に対応して計数ユニット２３を備え、各計数ユニット２３がホッパー２に投入された遊技媒体をそれぞれ計数すると共に、排出される遊技媒体を分配する装置であって、  遊技媒体計数機１から排出される外形の異なる複数種の遊技媒体を受領する投入口８２ａと、投入口８２ａから投入された遊技媒体を種類毎に排出する複数の排出口８２ｅ、８３ｈ５とを具備し、投入口８２ａから投入された遊技媒体を各種類毎に異なる排出口８２ｅ、８３ｈ５から排出可能である遊技媒体分配装置８による。【選択図】  図１０
2007159789.tif 000002
【特許請求の範囲】
【請求項１】
遊技媒体が投入されるホッパーを１の筐体に複数並設させるか、または１のホッパーを有する筐体をホッパーが連続するよう複数並設させ、並設させた各ホッパーは同時に投入された遊技媒体がホッパー間からこぼれないように接続されており、各ホッパーに対応して計数ユニットを備え、各計数ユニットがホッパーに投入された遊技媒体をそれぞれ計数すると共に各計数ユニットの計数を別個または同一に取扱い可能な遊技媒体計数機から排出される遊技媒体を分配する装置であって、
遊技媒体計数機から排出される外形の異なる複数種の遊技媒体を受領する投入口と、投入口から投入された遊技媒体を種類毎に排出する複数の排出口とを具備し、投入口から投入された遊技媒体を遊技媒体の種類毎に異なる排出口から排出可能なことを特徴とする遊技媒体分配装置。
【請求項２】
前記遊技媒体計数機に設けた計数ユニットが着脱自在であることを特徴とする請求項１記載の遊技媒体分配装置。
【請求項３】
前記投入口と排出口との間に、遊技媒体を洗浄又は／及び研磨可能な洗浄ユニットを備え、投入された遊技媒体のうち少なくとも１種類の遊技媒体を洗浄又は／及び研磨して排出することを特徴とする請求項１乃至請求項２いずれか記載の遊技媒体分配装置。
【請求項４】
前記投入口と排出口との間に遊技媒体誘導手段を備え、該誘導手段は、投入口が複数の場合に遊技媒体を合流させて１の排出口から排出可能であり、投入口が複数の場合に複数の排出口から排出可能であり、投入口が１の場合に分配して複数の排出口から排出させるかいずれかの排出口から排出させることが可能な請求項１乃至請求項３のいずれか記載の遊技媒体分配装置。
【請求項５】
前記遊技媒体計数機は、並設させた各ホッパーが同時に投入された遊技媒体がホッパー間からこぼれないように接続され、前記並設されたホッパー全体の周囲部が胸壁によって各ホッパー間より高くなるよう構成される遊技媒体計数機である請求項１乃至請求項４のいずれか記載の遊技媒体分配装置。
【発明の詳細な説明】
【技術分野】
【０００１】
この発明は、メダル分配装置にかかり、詳細には、メダルが投入されるホッパーを複数備え、各ホッパーには投入されたメダルあるいはパチンコ玉等の遊技媒体を計数する計数機構を備える遊技媒体計数機から排出される遊技媒体を分配する遊技媒体分配装置に関する。
【背景技術】
【０００２】
従来例えば、メダル形状の遊技媒体によってメダルを獲得するメダル遊技機を設置した遊技ホールでは、メダル遊技機によって遊技客が獲得したメダルを計数する遊技媒体計数機としてのメダル計数機が設置されている。同様にパチンコ玉を遊技媒体としたパチンコ玉計数機としての遊技媒体計数機もあり、メダル計数機同様遊技客が獲得したパチンコ玉を計数可能である。以下、遊技媒体をメダルとした場合を例に従来例を説明する。
遊技媒体計数機は、遊技を終了した顧客が遊技ホールのカウンターにメダル箱を持っていき計数する場合に用いられる。
【０００３】
この遊技媒体計数機は、一般に、上部に開口するホッパーと、ホッパー下部で高速回転する回転板によってメダルを１枚ずつ送出する送出部と、送出部から送出されたメダルを計数する計数部とを有している。そして遊技媒体計数機は、ホッパーへメダル群を投入し、ホッパーの下部に設けた送出部が回転板を高速回転させ、該回転板の遠心力によってメダルを１枚ずつ送出する。この送出されたメダルはメダル通路を経て計数部へ送出され、計数部が該メダルの通過を検知してカウントして計数するものである。
【０００４】
メダル数を計数する店員は、この遊技媒体計数機へメダルの入ったメダル箱を持運びメダル箱のメダルを遊技媒体計数機のホッパーへ投入し計数させる。
しかしながら、メダルが詰る等して遊技媒体計数機が故障した際には、ホッパーに投入したメダルを排出すると共に、計数部等を修理する必要が生じる為、遊技ホール営業中でも遊技媒体計数機の使用を停止しなければならなかった。
また、遊技媒体計数機は短時間で計数できるように設計されてはいるが、それでもメダルの計数に時間を要する場合があり、特にメダル数が大量であった場合や閉店時などには、遊技媒体計数機の使用を待つために狭い遊技ホールに計数待ちの利用者が並んでしまう場合があった。
【０００５】
そこで従来は、計数の能率化のための高速化を計るため、あるいは、メダル詰り等の故障時に対応可能とするため、ホッパー及び回転板を夫々二つ並べ設置したものがあった。たとえは、『ダブル式メダル計数機におけるホッパー』（実公平７−６９３３号、以下従来例１という。）である。
【０００６】
従来例１は、『（請求項１）１台の計数機本体に２個の回転板を備えるダブル式メダル計数機において、計数機本体の上部に配設するホッパー本体の中央を左右に分割すると共に、この分割ホッパー部を各々取り外し自在としてなるダブル式メダル計数機におけるホッパー。』にかかり、図１９に表すように、計数対象であるメダルをホッパー本体１０４の分割されたホッパー部１０４ａ、１０４ｂそれぞれへ投入すると、該メダルが漏斗状に形成された分割ホッパー部１０４ａ、１０４ｂの下部に有するホッパー孔１１１から回転板１０２上に落下する。そして、該回転板１０２の高速回転に伴う遠心力でメダルを１枚ずつにして計数側通路に送出し、通路に設ける計数部が通路を運ばれてきたメダル数を計数するものである。
【０００７】
そして従来例１では、仮に一方の回転板１０２がメダル咬み込み等で停止した場合でも、この詰りを修理しているときでも、上部のホッパー本体１０４は中央を分割した構成としてなるため、故障した側の一方の分割ホッパー部（たとえば分割ホッパー１０４ａ）を単に外して修理を行えばよく、残る分割ホッパー部１０４ｂ側は正常に利用可能であるため、この分割ホッパー部１０４ｂに対しては今まで通りメダルを投入し計数を行うことが可能にできた。
【０００８】
このような従来例１に表す遊技媒体計数機、即ち所謂ダブルホッパーでは、ホッパーを２つ備えることで、大量に投入されたメダルを計数する時間を短縮可能であった。
【０００９】
また従来は、計数されたメダルは再び島にて遊技に供する前にメダル洗浄装置によって洗浄又は研磨が行われていた。このメダル洗浄装置は、一般に、島端あるいは島中央に配置された遊技媒体計数装置に隣接して設けられており、遊技媒体計数装置から排出されるメダルを洗浄させていた。そしてメダル洗浄装置は、洗浄終了したメダルを排出して貯留していた。
ホール係員は、このメダル洗浄装置による洗浄後の貯留されていたメダルを再びメダル式遊技機の島へ供して、再びメダルを利用可能としていた。
【特許文献１】実公平７−６９３３号公報
【発明の開示】
【発明が解決しようとする課題】
【００１０】
一方、メダル式遊技機を設置する遊技ホールでは、複数の遊技機を並設した島毎に機種をそろえて設置している。そして複数種の機種ではやはり人気のある機種と不人気の機種とが存在する。そして、人気の機種には遊技者がたくさん付き、不人気の機種にはあまり遊技者が付かない。そこで、人気のある機種の島数をたくさんにし、不人気の機種をごく少なくしてホールを構成していた。
しかしながら、不人気の機種は１つの島に設置していても利用者があまり付かないので、利用効率が非常に悪くなってしまう。
そこで不人気の機種の数を更に減少させるには、人気の機種と不人気の機種を１つの島に併存させて設置することが望まれる。
そして、メダル式遊技機にはメダル直径が２５ｍｍのメダルを遊技媒体として使用する遊技機と、メダル直径が３０ｍｍのメダルを遊技媒体として使用する遊技機とがある。
また、パチンコ遊技機とメダル式遊技機を１つの島に併存させてホールを構成したい場合もある。
【００１１】
しかしながら、同一の島内に、メダル種の異なるメダル式遊技機を設置しても、従来は、１種類の遊技媒体計数装置が設置されているのみであったので、その遊技媒体計数装置で扱う遊技媒体と異なるメダルは、他の遠い島に隣接したその遊技媒体を計数できる遊技媒体計数装置のところまで運び、該遊技媒体計数装置とは異なる遊技媒体計数装置によって計数する必要があった。
又、メダル直径が異なるメダル遊技機同士、あるはパチンコ遊技機とメダル遊技機同士を、１つの島に並設して使用する場合には、従来のシングルホッパー式の遊技媒体計数機では、２台設置しなければならないという問題点を有した。この問題点は、設置する遊技機を常に新規のものと入れ替えてホールを構成したり、遊技機の利用状況に応じ島の構成を頻繁に変更したい場合には、その都度狭いホールの中に２つの計数機を設置しなければならないのに加え、設置する遊技台に見合った新たな計数機を、ホールの構成を変更するたびに購入して設置しなければならず、費用がかかってしまうという問題点も有した。
また、従来例１に表すダブル式メダル計数機を用いる場合でも、従来例１では両方のホッパーがそれぞれ計数可能であるにしても、計数結果は１つ計数機として出力されるので、それぞれのホッパーを独立して計数し、且つ計数値を独立して出力することが困難であるという問題点を有した。
また、従来例１では、両ホッパーを他の種類や他の形状の遊技媒体をそれぞれ別個に計数して計数値を個別に出力することができないという問題点を有した。
【００１２】
また、先に述べたように、１つの島で複数の遊技媒体を利用する場合には、限られた配置スペースの制限により１つの遊技媒体計数機とするのが望ましいのに加え、遊技媒体計数機において計数済みの遊技媒体を洗浄等の処理をしたのち同じ種類の遊技媒体あるいは同じ大きさの遊技媒体に分配する必要があった。そして望ましくは分配する前に、それぞれの遊技媒体の洗浄処理を行ってしまいたい。しかしながら従来の方法では、それぞれの遊技媒体用の洗浄処理を行う装置をそれぞれの種類に見合った遊技媒体計数機に設置して使用しなければ分配することもできなかった。
【００１３】
また従来は、計数されたメダルは再び島にて遊技に供する前にメダル洗浄装置によって洗浄又は研磨が行われていた。このメダル洗浄装置は、遊技媒体計数装置とは別途に設けられており、遊技媒体計数装置から排出されて貯留されているメダルを、ホール係員が遊技媒体計数装置からメダル洗浄装置まで運び洗浄させていた。
そしてメダル洗浄装置でも、洗浄終了したメダルを排出して貯留していたため、ホールには、それぞれ別々の場所に遊技媒体計数装置およびメダル洗浄装置を設置しており、ホール係員による持ち運び等の手間を要するという問題点を有した。
また更に、遊技媒体計数装置で計数を終了して後、島にて実稼動していないメダルは、遊技媒体計数装置から排出されて貯留されているメダルと、メダル洗浄装置によって洗浄又は研磨後に貯留されているメダルとなり、実質的に遊技に供されていないメダルが多くなってしまうという問題点を有した。
【００１４】
そこでこの発明は、上記問題点に鑑み、遊技媒体計数機から排出される複数種の遊技媒体を、同一の遊技媒体に分割して排出させることが可能な遊技媒体分配装置を提供する。
【課題を解決するための手段】
【００１５】
この発明では、遊技媒体計数装置計数されて排出された複数種の遊技媒体を受領して、その種類毎に分配して排出可能とするため、
【００１６】
遊技媒体が投入されるホッパーを１の筐体に複数並設させるか、または１のホッパーを有する筐体をホッパーが連続するよう複数並設させ、並設させた各ホッパーは同時に投入された遊技媒体がホッパー間からこぼれないように接続されており、各ホッパーに対応して計数機構を備え、各計数機構がホッパーに投入された遊技媒体をそれぞれ計数すると共に各計数機構の計数を別個または同一に取扱い可能な遊技媒体計数機から排出される遊技媒体を分配する装置であって、
遊技媒体計数機から排出される外形の異なる複数種の遊技媒体を受領する投入口と、投入口から投入された遊技媒体を種類毎に排出する複数の排出口とを具備し、投入口から投入された遊技媒体を遊技媒体の種類毎に異なる排出口から排出可能なことを特徴とする遊技媒体分配装置、
【００１７】
を提供する。この遊技媒体分配装置では、遊技媒体計数装置から排出される遊技媒体を投入口から受領し、受領した遊技媒体を異なる種類毎に設ける排出口からそれぞれ分配して排出する。
そしてまたこの発明では、
【００１８】
前記遊技媒体計数機に設けた計数ユニットが着脱自在であることを特徴とする遊技媒体分配装置、
【００１９】
を提供する。これにより、遊技媒体分配装置が、計数機構が着脱自在の計数機の排出口から外形の異なる複数種の遊技媒体を受領する投入口と、投入口から投入された遊技媒体を種類毎に排出する複数の排出口とを具備し、投入口から投入された遊技媒体を遊技媒体の種類毎に異なる排出口から排出可能であるため、計数機の計数機構に応じて、各ホッパーに同一の遊技媒体を計数したり、ホッパー毎に異なる外形の遊技媒体を計数したりする場合、取り付けた計数機構に応じて、適宜に遊技媒体の種類毎に異なる排出口から排出できる。
更にまたこの発明では、分配して排出する前に、投入口から投入された遊技媒体を洗浄又は／及び研磨する装置を有するものとして、遊技媒体分配装置は、
【００２０】
投入口と排出口との間に、遊技媒体を洗浄又は／及び研磨可能な洗浄ユニットを備え、投入された遊技媒体のうち少なくとも１種類の遊技媒体を洗浄又は／及び研磨して排出する、
【００２１】
ように構成する。従って、投入口から投入された遊技媒体は、排出口から分配されて排出される前に、少なくともその１種類の遊技媒体は洗浄又は／及び研磨され、当該排出口から排出される。
又上記各遊技媒体分配装置で排出される遊技媒体を排出口へ導く際に振り分ける遊技媒体誘導手段を設ける遊技媒体分配装置を、
【００２２】
前記投入口と排出口との間に遊技媒体誘導手段を備え、該誘導手段は、投入口が複数の場合に遊技媒体を合流させて１の排出口から排出可能であり、投入口が複数の場合に複数の排出口から排出可能であり、投入口が１の場合に分配して複数の排出口から排出させるかいずれかの排出口から排出させる、
【００２３】
ように構成することで、複数の投入口を有し１の排出口を有する遊技媒体分配装置では、各計数機構の計数を同一に取扱う時には遊技媒体誘導手段が複数の投入口から流入された遊技媒体を合流させて１の排出口から排出でき、各計数機構の計数を別個に取り扱う時には他の種類の遊技媒体は遊技媒体誘導手段によって一時的に排出を停止させることで遊技媒体誘導手段がその種類毎に排出口から排出できる。又、遊技媒体分配装置に投入口を複数設けると共に排出口を複数設ける場合には、同一種の遊技媒体を扱う各計数機構の計数を同一に取扱う時には遊技媒体誘導手段によって適宜に選択された方の排出口のみから排出でき、計数機構毎に異なる遊技媒体を扱う各計数機構の計数を別個に取り扱う時には遊技媒体誘導手段によって異なる遊技媒体をそれぞれの適宜に選択された方の排出口から排出できる。このように、遊技媒体誘導手段が同種の遊技媒体を纏めて排出口から排出させるが、その排出は排出口が１の場合には同じ排出口から排出させ、排出口が複数有る場合には、遊技媒体の種類毎に排出させる排出口を変更して排出させる。
【００２４】
又、投入口が１つであり排出口が複数の場合に、遊技媒体誘導手段は投入口から投入された遊技媒体をその遊技媒体の種類毎に所定の排出口から排出させる。この時、投入口へ投入される遊技媒体は、遊技媒体計数機から投入される際に１つのホッパーから投入がなされ続け他のホッパーは一時的に停止されているので、１つのホッパーからの投入が終了するまでは同一の遊技媒体のみが投入されるので、遊技媒体誘導手段はホッパーからの投入が終了し他のホッパーからの投入が始まる時に遊技媒体計数機の何れのホッパーからの投入がなされるかを認識してそのホッパーの計数する遊技媒体に会わせた排出口を選択し誘導させる。又、遊技媒体誘導手段は、１つの投入口から投入された遊技媒体を複数有る排出口のうちの所望の排出口からのみ排出させ続けることも可能であり、例えば複数有る排出口に備えてある遊技媒体を貯留するジョッキの貯留許容量に合わせて順次排出口を変更していくこともできる。
また、並設させた各ホッパーは同時に投入された遊技媒体がホッパー間からこぼれないように接続される構造として、前記並設されたホッパー全体の周囲部が胸壁によって各ホッパー間より高くなるよう構成される遊技媒体計数機を対象とすることを特徴とする請求項１乃至請求項４のいずれか記載の遊技媒体分配装置、を提供する。
これによれば、並設させた各ホッパーは同時に投入された遊技媒体がホッパー間からこぼれないように接続される構造として、並設されたホッパー全体の周囲部が胸壁によって各ホッパー間より高くなるよう構成されることで実現できる。
【発明の効果】
【００２５】
従って、この発明によれば、メダル分配装置に、遊技媒体計数装置から計数を終了された複数種のメダルを投入されても、排出口からそれぞれのメダル種毎にメダルを分配して排出可能となるので、遊技場に於て遊技媒体計数装置で計数を終了したメダルは、瞬時にそのままそれぞれのメダル種の島で利用可能となり、改めてメダル種毎に分配する必要がなく、作業効率がよいという効果を有する。
又、同一の島内に、メダル種の異なるメダル式遊技機を設置しても、複数種のメダルをそれぞれ計数可能なダブルホッパー式の遊技媒体計数装置とメダル分配装置とを該島に１台設置すれば、同一島内でメダル種毎に異なる遊技媒体計数装置を設置する必要がなくなり、島スペースの有効利用が図れる。
更に、メダル分配装置の投入口と排出口との間に洗浄ユニットを設けた場合には、計数が終了したメダルをそのまま洗浄して後貯留可能なので、実質的に遊技に供されていないメダルを減らすことが可能となる。
【発明を実施するための最良の形態】
【００２６】
メダル分配装置は、筐体形状を成し、ダブルホッパー式遊技媒体計数装置のメダル排出口に対応して投入口を設ける。即ち、ダブルホッパー式遊技媒体計数装置がそれぞれのホッパーに排出口を備える場合にはそれぞれの該排出口に対向させて複数の投入口を設け、同計数装置が１つの排出口のみから複数のホッパーで計数したメダルを排出する構成の場合には１つの投入口を該排出口に対向して設ける。遊技媒体計数装置に開口する投入口の他方は筐体内に開口し、メダルを筐体内に貯留可能である。
【００２７】
筐体は、設けた投入口と同数に分割して設け、投入口が２つの場合にはそれぞれの投入口から投入されたメダルをそれぞれ異なる筐体内の貯留槽に貯留する。
また、投入口が１つの場合には全ての投入されたメダルを筐体内の貯留槽に貯留する。
この貯留槽には、貯留槽内部には洗浄ユニットを設ける。洗浄ユニットは貯留槽に滑落してきたメダルを受領し、該ユニット内で洗浄の後排出する。洗浄ユニットは貯留槽外部に設けてもよく、この場合には、貯留槽には洗浄ユニットへメダルを滑落させるメダル通路を設ける。
【００２８】
また、投入口が１の場合には、洗浄ユニットで洗浄して洗浄ユニットから排出されるメダルを、それぞれの形状によって分配する分配ユニットを設ける。分配ユニットは、洗浄ユニットで洗浄され排出されたメダルを受領し、受領したメダルをメダル種毎に分配して排出する。従って、分配ユニットには、メダル種に合わせた数のメダル通路を有する。
メダル分配装置の排出口は、分配ユニットを設けた場合には、分配ユニットのメダル通路に対応して複数設け、メダル分配装置を設けない場合、即ち貯留槽が２つの場合にはそれぞれの貯留槽に設ける。但し、洗浄ユニットを貯留槽の外部に設けた場合には、洗浄ユニットを設けた側の貯留槽には洗浄ユニットへのメダル通路を設け、洗浄ユニットがメダルを洗浄し終わって排出可能となるよう洗浄ユニットに排出口を設ける。
【実施例１】
【００２９】
以下に、この発明の実施例１を図面に基づき説明する。図１はこの発明の実施例１に載置する遊技媒体計数装置を表す斜視説明図であり、図２は同ホッパー本体を取外した状態を表す斜視説明図であり、図３は同一方の開閉手段を開状態とした状態を表す斜視説明図であり、図４はホッパー本体及び開閉手段を取外した状態を表す斜視説明図であり、図５は図１を背面側から見た背面斜視説明図であり、図６は開閉手段を表す斜視説明図であり、図７は実施例１の開閉駆動手段を図示した斜視説明図であり、図８は開閉手段の他の実施例を表す説明図であり、図９は実施例１を表す説明図であり、図１０は実施例１を分解および投影して表す斜視説明図であり、図１１は実施例１の部分を表す斜視説明図であり、図１２は実施例２を表す斜視説明図であり、図１３は同部分説明図であり、図１４は実施例３を表す斜視説明図であり、図１５は実施例３の他の例を表す斜視説明図であり、図１６は他の遊技媒体排出構造の実施例を表し、（ａ）は複数の投入口と１つの排出口からなる構造を、（ｂ）は複数の投入口と複数の排出口からなる構造を、（ｃ）は１つの投入口と複数の排出口からなる構造を、それぞれ表す説明図であり、図１７は別体型の胸壁を表す説明図であり、図１８は一体型の胸壁を表す説明図である。
１は、遊技媒体計数装置である。遊技媒体計数装置１は、左右にホッパー部２を連接してなる。ホッパー部２は、単体の遊技媒体計数機であり、図２や図３に表すように、ホッパー部２に投入される遊技媒体を計数可能である。ホッパー部２は、遊技媒体であるメダルが投入されると、投入されたメダルの枚数を計数する計数機である。尚、計数する対象である遊技媒体は、メダルの場合もあればパチンコ玉の場合もあり、それぞれを計数可能な計数装置であればよい。この実施例では、左右両側のホッパー部２がメダル計数機である場合を説明するが、図４に表すように、左右のホッパー部２を異なる遊技媒体用として使用してもよく、あるいは、左右のホッパー部２ともにメダル計数機ではあるが異なる径や形状のメダルを計数可能な異なるホッパー部２としてもよい。
【００３０】
まず、ホッパー部２を説明する。図４は、ホッパー部２を分解した状態を説明するものであり、左側のホッパー部２はパチンコ玉計数機として機能し、右側のホッパー部２はメダル計数機として機能するよう、左右異なる遊技媒体をそれぞれ計数可能とした遊技媒体計数装置１の説明図である。メダル計数機としてのホッパー部２は、図４に表すように、右側のホッパー部２であり、ホッパー部２の上部に位置して取り外し可能に形成されるホッパー本体２１と、ホッパー本体２１の下部に位置するように計数部であるホッパーメダル送り部２２と、ホッパーメダル送り部２２から送られてくるメダルを計数する計数部２３とからなる。
ホッパー本体２１は、この実施例では、左右のホッパー部２それぞれのホッパー本体２１を一体的に連続して形成する。ホッパー本体２１は、図２に表すように、漏斗状に下方が狭く形成された右ホッパー本体２１ａと左ホッパー本体２１ｂとを連設し、漏斗状の下部中心には、ホッパーメダル送り部２２へ投入されたメダルを滑落させる孔２４を開口する。なお、この実施例では図４に表すように、右ホッパー２１ａはメダル計数用、左ホッパー２１ｂはパチンコ玉計数用としたが、ホッパー本体２１は、右ホッパー２１ａ及び左ホッパー２１ｂともにパチンコ計数用またはメダル計数用のものを適宜に選択しても良く、更に左右のみならず３台以上の複数に於ても、必要とする種類のものを必要とする数量だけ設けることもできる。またメダル計数用ホッパーとパチンコ玉計数用ホッパーをそれぞれ準備し、胸壁２１ｇに適宜嵌め込んでホッパー２１を形成させてもよい。
ホッパーメダル送り部２２は、図４に表すように、中央に高速で回転する回転板２２ａを有し、回転板２２ａと同軸で回転板から上方へ突出されて回転板２２ａと同様に高速で回転する攪拌部２２ｂを立設する。この攪拌部２２ｂは、ホッパー本体２１の孔２４に位置し、ホッパー本体２１に投入されたメダルを孔２４位置で攪拌し、下方の回転板２２ａへスムーズに流れるようにしている。更に、回転板２２ａが設けられた一端には、メダル通路２２ｃを設ける。メダル通路２２ｃは、計数対象であるメダルが通過できる厚さおよび幅で形成される。この実施例では、右ホッパー本体２１ａは直径２５ｍｍのメダルを計数するので、２５ｍｍより稍広い幅に設ける。更に、該通路２２ｃの先には計数部２３が設けられている。メダル通路２２ｃは、詳述しないが、横に寝た状態のメダルを上下に挟んで搬送する搬送ベルトによって計数部２３へ送られる。
【００３１】
計数部２３は、メダル通路２２ｃを搬送されて計数部２３を通過する際に通過したメダルをカウントする。従って、メダルが通過するたびにカウントして計数可能である。このカウントは、計数部２３がカウントするたびにカウント信号を出力し、別途設ける制御部１７がこのカウント信号を入力して積算計数してもよいが、この実施例では計数部２３が積算計数する。尚、制御部１７は、ホッパー部２が備えるエラーセンサー（図示せず）等が出力するエラー信号を入力し該エラー信号によって適宜エラー処理を行う。例えば、ホッパー本体２１ｂがメダル詰まりを起こし、ホッパー本体２１ｂ内にメダルがあることを関知していながら所定時間計数部２３が計数しなかった場合には異常が発生していると判断し、係員に通知したり、あるいは引違戸３に開閉手段を設けた場合には左ホッパー本体２１ｂの左引き戸３ｂを閉じて鍵を掛ける等の所定の処置をとらせる。
ホッパーメダル送り部２２および計数部２３は一体的に形成されており、ホッパー本体２１を含めホッパー部２を形成する。そしてホッパー部２は、ホッパー本体２１を上方に移動して分離可能に構成する。そしてこのように構成するホッパー部２は遊技媒体計数装置１の筐体１１内に収納される。即ち、遊技媒体計数装置１は、ホッパー部２を収納する収納部を開口して形成する筐体１１と、筐体１１の前方に位置して操作および表示を行う操作部１２とからなり、操作部１２は筐体１１に固定され、表示部１３および操作ボタン１４ａ〜１４ｄを表面に露出してなる。
【００３２】
この実施例では、筐体１１に複数のホッパー部２を設置することで遊技媒体計数装置１を構成し、この時連設されたホッパー部２間には遊技媒体がこぼれ落ちるような隙間が無いように設置する。しかしながら、遊技媒体計数装置１は、１つの筐体１１に複数複数のホッパー部２を設けるのではなく、それぞれ個々に筐体を構成しているホッパー部２を、隣合うホッパー部２間に遊技媒体がこぼれ落ちるような隙間が無いように連続して設置し１つの筐体内に収めることなく構成してもよい。なお、１つの筐体１１に複数のホッパー部２を設ける場合においても、それぞれ個々に筐体を構成しているホッパー部２を、隣合うホッパー部２間に遊技媒体がこぼれ落ちるような隙間が無いように連続して設置すればよい。又、１つの筐体内に収めることなく隣り合わせて設置させ構成する場合においても、並設させた各ホッパー部２は同時に投入された遊技媒体がホッパー部２間からこぼれないように接続される構造として、並設されたホッパー部２全体の周囲部が胸壁によって各ホッパー部２間より高くなるよう構成するとよい。このように構成することで、複数のホッパー部２に同時に投入したメダル等の遊技媒体がホッパー部２間の最上部に沿って外部に零れ落ちることを防止できる。また即ち、この場合の遊技媒体計数装置１は、それぞれ個々のホッパー部２が単独で遊技媒体計数装置１を構成可能であり、これらのホッパー部２が出力する計数信号を遊技媒体計数装置１に設ける制御部１７が入力してそれぞれのホッパー部２がカウントする信号を独立して別個に取り扱う場合と全てのホッパー部２からの計数信号を合算するようにカウントする場合とを選択可能に構成すればよい。
【００３３】
そして、遊技媒体計数装置１では、複数連設された各ホッパー部２を、投入された遊技媒体を同時に計数するように取り扱わせるか、あるいは、個別に計数させるかを選択可能に構成される。即ち、遊技媒体計数装置１は、制御部１７の制御により、連設された各ホッパー部２の計数部２３が計数した結果を、合計して表示部１３に表示させるか、あるいは計数した結果を個別に表示させるかを選択できる。この選択は、所定の切り替えスイッチ（図示せず）によって切り替え可能に構成しても良く、また、遊技媒体計数装置１が通信可能に接続される遊技ホールシステム（図示せず）からの指示信号によって切り替え可能に構成しても良い。
具体的には、遊技媒体計数装置１が複数連設されたホッパー部２を同一に取り扱う場合には、各ホッパー部２に設けた計数部２３は、ホッパー本体２１に投入された記憶媒体を連続して計数した結果を計数信号として制御部１７へ送信する。制御部１７では、各計数部２３からの計数信号が入るたびに受領した日時及び当該計数信号を出力したホッパー部２とを紐付けて記憶し、同様に略同時に入力する他のホッパー部２から入力する全ての計数信号による計数値を積算して計数する。このように全ての計数部２３からの計数信号を制御部１７が纏めてカウントすることで、遊技媒体計数装置１へ投入された遊技媒体全ての数を纏めて計数する。尚、この時同一に扱う計数信号は、遊技媒体計数装置１に纏めて投入された遊技媒体の計数が各ホッパーユニット２ａ毎に異なる数量の遊技媒体数を投入されるため終了する時間のずれがあるので、利用者が遊技媒体を各ホッパーユニット２ａに投入すると投入された遊技媒体を検知して計数し、計数を終了する旨のボタン（例えば「全部」ボタン、「計数終了」ボタン）を押した際の各ホッパーユニット２ａの計数信号を同一に扱う（各ホッパーユニット２ａの計数値を加算する）ものであるが、予め所定時間内に入力される計数信号としておいても良いし、利用者が遊技媒体を計数する際に必ず計数値をリセットするボタン（図示せず）を押圧させるように構成して押圧されることで、それ以降に入力される計数信号を同一に扱う（各ホッパーユニット２ａの計数値を加算する）ようにしても良い。遊技媒体計数装置１の構成として設計時に適宜選択すればよく、勿論、全てが可能なように構成してもよいし、他の方法によって実現しても良い。
【００３４】
また、遊技媒体計数装置１が複数連設されたホッパー部２を別個に取り扱う場合には、各ホッパー部２に設けた計数部２３は、記憶媒体を１つ数えるたびに出力する計数信号を制御部１７へ送信する。制御部１７では、各計数部２３からの計数信号が入るたびに入力したホッパー部２毎に積算して計数する。このように入力した計数信号をホッパー部２毎に制御部１７が個別にカウントすることで、遊技媒体計数装置１へ投入された遊技媒体は、それぞれカウントされたホッパー部２毎に個別に計数される。このように個別に計数可能とすることで、島におかれた１台の遊技媒体計数装置１で、パチンコ玉とメダル、あるいは径の異なるメダル相互を、それぞれ個別に計数可能となり、遊技媒体計数装置１をあたかも２台設置したかのように機能させることができる。
また、制御部１７は記憶部（図示せず）を備えており、上記のようにカウントした各ホッパー部２毎のカウント結果は各ホッパー部２個別に記憶する。また、制御部１７は、通常のパソコン等が備えるような一般的なカレンダー機能を備えており、制御部１７の備える記憶部に所定期間を監視可能である。
【００３５】
このように形成する遊技媒体計数装置１の筐体１１に、ホッパー部２が左右に連設して設けられている。即ち、図２に表すように、右ホッパー部２ａと左ホッパー部２ｂとは左右に連設され、ホッパー本体２１をホッパーメダル送り部２２上部にかぶせた状態に設置されている。この状態でホッパー本体２１は筐体１１から上方へ取外し可能である。また、メダル送り部２２は、図５に表すように、ホッパー本体２１を取外した状態で筐体１１背面に設ける背面扉１５を開いて筐体背面から筐体外部へ取外し可能である。このホッパーメダル送り部２２の取外しは予めホッパー本体２１を遊技媒体計数装置１の上方へ取外した状態で行う。このホッパーメダル送り部２２と計数部２３とが投入されたメダルを計数可能なホッパーユニット２ａを構成する。
ホッパーユニット２ａは、メダルを計数可能なユニットであるが、図４中の下部左に表すように、パチンコ玉の計数が可能なホッパーユニット２ｂを用いることもできる。ホッパーユニット２ｂは、メダル用のホッパーユニット２ａと同じ形状の筺体２ｂ１内を、傾斜する複数のレーン２ｂ２によって仕切り、各レーン２ｂ２の下部にはゲート状に計数部２３を設ける。このように傾斜した複数のレーン２ｂ２を設けることで、筺体２ｂ１内に投入されるパチンコ玉は、レーン２ｂ２の傾斜に沿って計数部２３側へ移動し、ゲート状の計数部２３を通過し、筺体２ｂ１背面に設ける排出口（図示せず）からパチンコ玉が排出される。計数部２３は、パチンコ玉が通過するたびにその数をカウントする。
【００３６】
このようにパチンコ玉用のホッパーユニット２ｂをメダル用ホッパーユニット２ａと同形状に構成することで遊技媒体計数装置１の左右のホッパー部２は、カセット式に背面扉１５から交換可能となり、交換して取り付けたホッパーユニット２ａあるいはホッパーユニット２ｂはいずれもホッパー本体２１を上方から被せることで計数するパチンコ玉あるいはメダルの遊技媒体を投入可能となる。従って、遊技媒体計数装置１は両方のホッパー部をメダル用の計数機としても利用可能であり、一方のホッパー部２をパチンコ玉用の計数機として他方のホッパー部２をメダル用の計数機としても利用可能であり、または、いずれのホッパー部２もパチンコ玉の計数機としても利用可能となる。
ホッパーユニット２ａは、メダルを投入されたメダルを計数して排出するものであり、筐体１１の背面には各ホッパーに対応し、ホッパーユニット２ａが計数した遊技媒体を排出するメダル排出口１６が設けられている。従って、ホッパーユニット２ａによって計数されるべく投入されたメダルは、ホッパー本体２１の所望のホッパーへ投入される。例えば右ホッパー本体２１ａに投入したメダルは、右ホッパー本体２１ａ内で攪拌部２２ｂによって攪拌され、孔２４内で回転板２２ａの回転によって更に外方へ弾かれる。弾かれたメダルは、メダル通路２２ｃに沿って移動される。そしてやがてメダルはメダル通路２２ｃの途中に設ける計数部２３を通過する際にカウントされる。計数部２３を通過したメダルは更に搬送されてやがてメダル排出口１６から排出される。
【００３７】
このメダル排出口１６の下部には、図５に表すようにジョッキ２６が載置されており、メダル排出口１６から排出されたメダルはジョッキ２６内に貯留される。この時、メダル排出口１６は、ホッパーユニット２ａ毎に設置されているので、ホッパーユニット２ａに投入されるメダルやパチンコ玉毎分配されることとなる。
このように、メダル排出口１６をそれぞれのホッパーユニット２ａ毎に設けているので、メダル排出口１６から排出される遊技媒体は排出時に既に分配されているので、直ちに遊技に供与できることとなる。
次いで、ホッパー本体２１の上部でホッパー本体２１上面を閉塞する開閉手段について説明する。開閉手段は、実施例１では引違戸３からなる。引違戸３は、図１に表すように、右ホッパー本体２１ａ上面を覆う引き戸３ａと左ホッパー本体２１ｂ上面を覆う引き戸３ｂとからなり、左引き戸３ｂが右引き戸３ａの上部となり引き違い可能である。従って、左引き戸３ｂを右引き戸３ａ側へ移動すると、左引き戸３ｂは右引き戸３ａの上部に位置し、左ホッパー本体２１ｂが上面が開口し、遊技媒体であるメダルを投入可能となる。また、右引き戸３ａを左引き戸３ｂ側へ移動すると、右ホッパー本体２１ａ上面が開口し、遊技媒体であるメダルを投入可能となる。
【００３８】
引違戸３は、図６に表すように、表面に開閉のために手を掛ける取っ手部３２を設けた板状体からなる扉本体３１からなる。扉本体３１の幅および長さは、それぞれ扉本体３１がホッパー本体２１上面を閉塞可能な大きさからなる。また、扉本体３１には、図６中矢印で表す引き違い方向と交差する側面、即ち前後側面に係止孔３３を穿設する。係止孔３３は、この実施例では、前後それぞれの側面に２カ所ずつ穿設してなる。図６に表す引違戸３は、左引き戸３ｂであるが、右引き戸３ａも同様に左右対称に形成する。
そこで、筺体１１のホッパー部２上部に設けるホッパー本体２１は、それぞれ引違戸３を載置可能に形成する。即ち、左右ホッパー本体２１の上部は、図２に表すように、上面を右引き戸３ａが引き違える幅であり、図１に表すように右引き戸３ａを直接載置して引き違い可能である。また、左ホッパー本体２１ｂの上面周囲部の前後壁部２１ｃには引き戸レール２５を設ける。引き戸レール２５は、引違戸３を閉状態としたときに左引き戸３ｂが右引き戸３ａの上側となって左ホッパー本体２１ｂ上部に位置していられるように左引き戸３ｂの左右方向への摺動をガイドするレールである。更に、閉状態とした引違戸３の左右引き戸３ａ、３ｂに穿設した係止孔３３と対向する位置には、閉状態係止手段２１ｄを設ける。この閉状態係止手段２１ｄは、左右のホッパー部２それぞれを使用しているときには筺体１１内に位置し、ホッパー本体２１を閉状態とするときには引違戸３側へ進出するように引違戸３側へ進退可能である。そして、閉状態係止手段２１ｄは、引違戸３を閉状態とするときには引違戸３側へ進出し、引違戸３に穿設した係止孔３３内に進入して引違戸３を開状態へできないよう閉状態を維持可能とさせる。
【００３９】
この閉状態係止手段２１ｄは、筺体１１の正面に設ける鍵４と連動し、鍵４を施錠側へ回転すると閉状態係止手段２１ｄが引違戸３側へ進出して係止孔３３と係止して引違戸３をロックする。鍵４は、右引き戸３ａおよび左引き戸３ｂそれぞれの施錠用に設けられている。
尚、閉状態係止手段２１ｄは、ソレノイド装置（図示せず）によって進退可能に構成してもよい。
また、引違戸３は、開閉駆動手段５によって自動的に開閉可能に構成し、制御部１７がエラーを検知して左右いずれかあるいは両方のホッパー本体２１を閉状態とするために、所望のホッパー本体２１の左右いずれかの右引き戸３ａ、３ｂあるいは両方の引き戸３ａ、３ｂを開閉駆動手段５を駆動させて開閉させる。この場合には、開閉駆動手段５は動力を得る駆動部５１と、駆動部５１の動力により引違戸３を移動させるチェーン５２と、筺体１１内で稼働自在に固定され、チェーン５２をガイドするプーリー５３とから構成する。そして、左引き戸３ｂを開閉する開閉駆動手段５を説明すると、左引き戸３ｂの摺動側両端に、チェーン５２の両端を固定し、筺体１１の左右内部にはプーリー５３を回動自在に固定する。そして、チェーン５２をプーリー５３に掛け渡すことでそれぞれの両端が張った状態となるように掛け渡す。この掛け渡されたチェーン５２の中間部のいずれか位置に駆動部５１を設置固定し、チェーン５２を送るように駆動可能とさせる。このように開閉駆動手段５を設け、駆動部５１の駆動制御を制御部１７が行うことで、チェーン５２が移動することにより左引き戸３ｂが左右いずれの方向へも移動可能となる。制御部１７による駆動部５１の制御は、右引き戸３ａの上方に位置して開状態となっている左引き戸３ｂを、例えば左ホッパー本体２１ｂ内がメダル詰まりを起こしてエラーとなったことを制御部１７が検知して駆動部５１を駆動させ、左ホッパー本体２１ｂを閉状態となるように移動させる。これにより左引き戸３ｂは左ホッパー本体２１ｂの上面を閉塞し、左ホッパー本体２１ｂ内へのメダルの投入を阻止可能となる。
【００４０】
更に、閉状態係止手段２１ｄを移動させるためのソレノイド（図示せず）を筺体１１内部の閉状態係止手段２１ｄ位置に設け、閉状態係止手段２１ｄをこのソレノイドにより引違戸３側へと進退可能に構成する。この場合に、ソレノイド（図示せず）は、制御部１７により制御され、左引き戸３ｂが開閉駆動手段５によって左ホッパー本体２１ｂを閉状態とした後に左引き戸３ｂ側の閉状態係止手段２１ｄを左引き戸３ｂ側へ突出するように移動させることで、閉状態となった左引き戸３ｂを閉状態係止手段２１ｄによって施錠し、開状態へ移動できないようにすることができる。
このような開閉駆動手段５およびソレノイドを右引き戸３ａにも設け、制御部１７によって開閉制御することで、それぞれ左右ホッパー部２を独立して開閉制御可能となる。
【００４１】
また、ホッパー本体２１の右ホッパー本体２１ａおよび左ホッパー本体２１ｂ中間部には、収納スリット２１ｅを穿設する。収納スリット２１ｅは、引違戸３をホッパー本体２１の上方へ取り外し左右ホッパー部２のいずれかあるいは両方を使用可能にしたときに、引違戸３の右引き戸３ａおよび左ホッパー本体２１ｂあるいはいずれか一方を遊技媒体計数装置１内に収納するための収納口であり、図２中左右方向へ扉本体３１の２枚分よりやや大きな幅で、ホッパー本体２１の前後方向に扉本体３１の幅よりやや大きな長さに開口する。また、遊技媒体計数装置１の内部にも、扉本体３１を収納可能なスペースを設ける。即ち、ホッパー本体２１に設けた収納スリット２１ｅと対向する遊技媒体計数装置１内部には、収納した扉本体３１の長さに相当する深さにスペースを設け、扉本体３１収納時に該収納した扉本体３１の上面側側面がホッパー本体２１表面の収納スリット２１ｅ高さとなるようにスペースがとられている。また、収納時に扉本体３１をガイドするように、筺体１１内部の収納スリット２１ｅの長さ側両端には、断面コ字状のガイドレール（図示せず）をそれぞれコ字状開口部が対向するように両端に設置する。そして、収納する扉本体３１は、このガイドレール（図示せず）の対向するコ字状凹部に両端が入り込みガイドされながら筺体１１内部に収納可能である。
【００４２】
また、この実施例では、収納スリット２１ｅを扉本体３１が２枚とも収納できる幅に設け、扉本体３１を２枚収納できるように構成したが、収納スリット２１ｅを、扉本体３１を１枚収納可能な幅に設け、収納スリット２１ｅと並べて開閉手段立設係止部である扉本体立設部２１ｆを設けてもよい。この場合には、扉本体立設部２１ｆは前記収納スリット２１ｅを設置した際に筺体１１内部に対向設置したコ字状のガイドレール（図示せず）の対向する１対を扉本体立設部２１ｆとして立設保持する高さとなる筺体１１内部まで、例えば、収納スリット２１ｅから下方へ７ｃｍ程度とする場合には７ｃｍ程度の深さまで設ける。更に扉本体立設部２１ｆは、該深さ以上には落ち込まないようコ字状に立設した扉本体立設部２１ｆの下方に壁体（図示せず）を設けて扉本体３１がこれ以上下方へ移動しないように構成する。このように扉本体立設部２１ｆを設けることで、左右ホッパー部２の両方をメダルあるいはパチンコ玉の計数装置として使用した場合に、左右それぞれのホッパー部２を独立構成でき、それぞれ隣り合うホッパー部２へ投入するメダルあるいはパチンコ玉の混入を防止可能である。
尚、実施例１では、開閉手段を引違戸３としたが、図８に表すように、それぞれホッパー本体部２の中央側を支点に上方へ観音扉状に開閉可能な開閉扉３ｃとしてもよい。
【００４３】
２１ｇは胸壁である。胸壁２１ｇは、ホッパー本体２１に構成される。胸壁２１ｇは、図１および図４に表すように、複数連設された全てのホッパー本体２１周囲を囲むように立設される。この時胸壁２１ｇの高さは、隣合う右ホッパー本体２１ａおよび左ホッパー本体２１ｂの境目であるホッパー中間部２１ｈより高くなるように設ける。このように胸壁２１ｇをホッパー中間部２１ｈより高く設けることで、全てのホッパーが同じ種類の遊技媒体であるメダルを引受可能な時に、同時にホッパー本体２１内に大量のメダルを投入しても、胸壁２１ｇによってホッパー本体２１外部へ投入メダルが溢れることを防止すると共に、投入されたメダルは利用可能なホッパー本体２１へ投入されることとなる。また、何れかのホッパー本体２１が同じ種類の遊技媒体であるメダルを引受可能であり且つ引違戸３あるいはシャッター６によって一部のホッパー本体２１が利用できないように上部を閉状態としてあった場合に、投入されたメダルが閉状態の引違戸３あるいはシャッター６上に乗っても、引違戸３あるいはシャッター６上に乗った投入されたメダルは、ホッパー中間部２１ｈが胸壁２１ｇより低いので胸壁２１ｇによってホッパー本体２１外部へ溢れることを防止できる。そして、引違戸３あるいはシャッター６上に位置されたメダルは、利用者等が利用可能な隣のホッパー本体２１へ掻き出して投入すればよい。
【００４４】
また、この実施例では図４に表すように、ホッパー本体２１は全てのホッパー部を１つの遊技媒体引受部として一体的に形成させたが、各ホッパー本体２１を図１７に表すように別体に構成してもよい。即ち、左側に位置させる胸壁２１ｇ一体型のホッパー本体２１は図１７（ａ）のように左側縁にも胸壁２１ｇを設け且つ右側縁には胸壁２１ｇより低い位置となる中間部２１ｈを設けたものを用い、右側に位置させる胸壁２１ｇ一体型のホッパー本体２１は図１７（ｂ）のように右側縁にも胸壁２１ｇを設け且つ左側縁には胸壁２１ｇより低い位置となる中間部２１ｈを設けたものを用いればよい。更に、ホッパー本体２１を３つ以上連設して用いる場合には、図１７（ｃ）のように左右両側の縁部が胸壁２１ｇより低いホッパー中間部２１ｈとなるように構成する胸壁２１ｇ一体型のホッパー本体２１を用いればよく、この中間部用ホッパー本体２１を複数用いればいくつでも連設して構成可能となる。
また、この実施例では、胸壁２１ｇはホッパー本体２１と一体的に形成された構成するが、例えば図１７に表すように、ホッパー本体２１とは別体として胸壁２１ｇを構成してもよい。この場合、１のホッパーを有する筐体をホッパーが連続するよう複数並設させ、並設させた各ホッパーは同時に投入された遊技媒体がホッパー間からこぼれないように接続されており、各ホッパーに対応して計数機構を備え、各計数機構がホッパーに投入された遊技媒体をそれぞれ計数すると共に各計数機構の計数を別個または同一に取扱い可能な遊技媒体計数機を、例えば、３台ホッパーが連続するよう複数併設させる場合に対応して、ホッパー上部に胸壁２１ｇである（ａ）（ｂ）（ｃ）を取り付ける。このようにすることで、各計数機のホッパー間の高さより胸壁部を高くでき、複数の店員が１の遊技客について複数の箇所から同時に投入しても外部にメダルがこぼれてしまうことなく、非常に早く計数作業を終えることができる。更に詳述する。即ち、図１８（ａ）に表すものが、左側に設けるホッパー本体２１に係止させて左側縁の胸壁２１ｇを構成する左側縁胸壁２１ｇユニットであり、同図１８（ｂ）に表すものが、右側に設けるホッパー本体２１に係止させて右側縁の胸壁２１ｇを構成する右側縁胸壁２１ｇユニットであり、同図１８（ｃ）に表すものが中間部に設けるホッパー本体２１に係止させて中間部の胸壁２１ｇを構成する中間部胸壁２１ｇユニットである。この場合には、胸壁２１ｇを全てのホッパー本体２１周囲部を囲繞するような１つの胸壁２１ｇから構成しても良く、また図１８に表すように、図１７に表した各ホッパー本体２１の構成と同様に左右それぞれの構成のものおよび中間部のものを設け、連設されるそれぞれのホッパー本体２１上部に、予めホッパー本体２１に設けた係止部と係止させて用いるように構成してもよい。勿論、胸壁２１ｇは、連設されたホッパー部２全体を囲繞するように、図１８に表す左右及び中央用の胸壁２１ｇを一体に構成して連設された全てのホッパー部２上部の周囲部を囲繞するようにしても良い。
【００４５】
この場合には、ホッパー本体２１は、胸壁２１ｇを構成していなくともよいので、計数部２３等を備えた単体として計数可能なホッパー本体２１を備えた計数ユニットを用いることができるので、単体として用いていた既存の計数ユニットを複数並設させ、図１７に表すような胸壁２１ｇをそれぞれの計数ユニットのホッパー本体２１へ係止させ、連設した複数のホッパー部２１を備えた遊技媒体計数装置１を構成することができる。
なお、図１７および図１８においては、３連にてホッパーを連結したものを例示したが、２連続のホッパー１対に、もう１対の２連続のホッパーを対面させて、ホッパー同士が隣接するよう設けて、合計４連続ホッパーを隣接させてもよい。この場合、これら各ホッパーの最上部を更に高くするために図１８で示す胸壁２１ｇを、上記４連続ホッパーの外周に設けるようにすると、投入したメダルがホッパー間に当り外部にこぼれてしまうこともない。
また、これら胸壁２１ｇを設けたホッパー本体２１にもやはり収納スリット２１ｅ、扉本体立設部２１ｆ等を設けて構成する。
【００４６】
更に勿論これらの場合でも、それぞれ胸壁２１ｇを備えるホッパー本体２１は、パチンコ玉に対応したものとメダルに対応したもの等、利用したい計数ユニットによって適宜選択可能である。
又、図４にはホッパー部２上面を閉塞する手段として用いた引違戸３に代りシャッターを用いた例を表す。
シャッター６は、巻き取り可能に巻き簀状に揺動可能に連続される細長い板状からなるシャッター片６１ａが複数巻き簀状に巻き取り可能に連接されて形成するシャッター本体６１と、シャッター本体６１を移動させるシャッターチェーン６２と、シャッターチェーン６２を移動可能なシャッター駆動部６３と、シャッター本体６１を収納可能なシャッター収納部６５と、シャッターチェーン６２を案内するシャッタープーリー６６と、これらを取り付けられシャッター６を形作るシャッターフレーム６７とからなる。そして、シャッター６はホッパー本体２１の下部に位置され、ホッパー本体２１の上面をシャッター本体６１が閉塞可能である。
【００４７】
シャッター６を設けるホッパー本体２１は、ホッパー本体２１上部側のうち遊技媒体計数装置１設置時に奥側（操作部１２側）および手前側（操作部１２とは反対側）並びに右ホッパー本体２１ａと左ホッパー本体２１ｂとの間を切欠してシャッター移動スペース７をＨ字状に穿設する。Ｈ字状に設けたシャッター移動スペース７のうち、『Ｈ』の横棒に相当するスペース７１が左右ホッパー本体２１の中間に位置する中間スペース部７１を形成し、それ以外のスペースがシャッターガイドスペース７２を形成する。
このようにホッパー本体２１にシャッター移動スペース７を形成することで、シャッター６をホッパー本体２１の下部に位置させてもシャッター６をホッパー本体２１の上面を覆うように移動可能にできる。
即ち、遊技媒体計数装置１は、図４および図９に表すように、シャッター６をホッパー本体２１の下部に位置するように設ける。
【００４８】
シャッター６は、骨組みによってホッパー本体２１よりやや小さな薄い箱形状をなすフレーム６７によって形作られ、ホッパー本体２１下部に収納された状態において、隣り合う右ホッパー本体２１ａ、ホッパー本体２１ｂの中間部下方に位置するようにシャッター収納部６５をそれぞれのホッパー本体２１ａ、２１ｂに設ける。尚、シャッター６は左右ホッパー本体２１ａ、２１ｂ下方においては左右対称に設置されるため、以下には左ホッパー本体２１ｂ下部に位置される部分のシャッター６を説明するが、右ホッパー本体２１ａ下部に位置される部分のシャッター６も左ホッパー本体２１ｂ下部に位置される部分と同様の構成であるので説明を省略する。
シャッターフレーム６７の略中央部には遊技媒体計数装置１の手前から奥方向に掛けてシャッター収納部６５を固定する。シャッター収納部６５は、内部にシャッター本体６１を巻き取り収納可能である。
【００４９】
シャッター本体６１は、幅狭な細長い板状体からなるシャッター片６１を複数連結してなる。そして連結されたシャッター片６１は相互に連結部を支点に巻き簀状に回動自在である。このシャッター本体６１は、基端部がシャッター収納部６５内部に固定され、たたんである自由端がシャッター収納部６５から引き出される。このとき引き出されるシャッター本体６１は、シャッター本体６１側のシャッタープーリー６６ａに案内される。このシャッタープーリー６６ａは、シャッター移動スペース７の中間スペース部７１下部に位置されて、シャッター本体６１の移動側先端を、左ホッパー本体２１ｂ上面開状態では上方の中間スペース部７１間に位置させている。また、シャッター本体６１の遊技媒体計数装置１手前側および奥側の両端部はシャッターチェーン６２に係止されてシャッターチェーン６２とともに移動される。シャッターチェーン６２は、シャッターガイドスペース７２の内側に位置するように、各シャッタープーリー６６によって支持されているので、シャッター本体６１は、シャッターチェーン６２とともに中間スペース部７１およびシャッターガイドスペース７２の内側で支持・移動されることとなる。また、シャッターチェーン６２は、左ホッパー本体２１ｂの左側下部に設置されるシャッター駆動部６３によって移動される。従って、シャッター駆動部６３が駆動されると、シャッター駆動部６３の駆動に伴いシャッターチェーン６２が移動されることとなり、シャッターチェーン６２に係止されているシャッター本体６１もこれに伴い移動される。そして、このシャッター本体６１の移動は、シャッター移動スペース７内側に駆動系を有して行われ、外部にはシャッター本体６１が見えるのみで行える。
【００５０】
シャッター駆動部６３の駆動制御は、操作部１２に設ける所定の操作ボタンの操作によって、左ホッパー本体２１ｂ上面を覆っている状態のシャッター本体６１を巻き取ってシャッター収納部６５に収納させたり、あるは収納状態のシャッター本体６１を引き出して左ホッパー本体２１ｂ上面を覆うように閉状態となるよう移動させる。また、手動操作ではなく自動制御も可能である。即ち、制御部１７がホッパー部２から左右いずれかあるいは両方の計数異常等のエラーを検知したときに、エラーを検知したホッパー本体２１上面を閉塞するようにエラーが発生したホッパー本体２１側のシャッター駆動部６３を開状態から閉状態へと移動するように駆動する。これにより、シャッター本体６１によって当該ホッパー本体２１上面を閉塞できる。また、計数が所定時間なされなかった場合にシャッター６を閉とするようにしてもよい。
【００５１】
また、実施例２では、シャッター６を閉状態で係止させる閉状態係止手段２１ｄは、筺体１１側に固定されシャッターチェーン６２対して進退自在であり、進退することで、シャッターチェーン６２と係止あるいは係止解除可能である。そして閉状態係止手段２１ｄは鍵４と連動され、鍵４の操作により、シャッターチェーン６２と係止することで、シャッターチェーン６２の移動を阻害し、シャッターチェーン６２とともに移動するシャッター本体６１の移動を阻止する。尚、この閉状態係止手段２１ｄも実施例１同様に制御部１７の制御によって操作することで、ホッパー本体２１内でのメダル詰まり等のエラー時には自動的に閉状態に移動させたシャッター本体６１をロックして無理矢理開状態とすることを阻止可能である。
このように構成するシャッター６は、シャッターフレーム６７を筺体１１の内側にて着脱自在に係止できるよう、簡単な操作、即ち数本のボルト締めや、シャッターフレーム６７に設ける凸部突起と筺体１１側に設ける凹部溝とを数カ所で嵌合させて着脱自在に取り付ける構成とすることで、シャッター６を設けない構成の従来型の遊技媒体計数装置１に対して、予め筺体１１に該凹部溝を設けておけば、後々該筺体１１にシャッター６を後付けすることも可能となる。
【００５２】
尚、開閉手段は上記各実施例のような引違戸やシャッター形状の他、複数のシャッター板からなり、ホッパー本体２１上面を閉塞するように移動したシャッター板が順次隣り合うシャッター板を引き出してホッパー本体２１上面を閉塞し、開状態とするときも、開状態とする方向へ移動されたシャッター板が隣り合うシャッター板と係止して順次隣り合うシャッター板を開状態とするように移動するような開閉手段でもよい。更にまた、いずれの実施例でも開閉手段は左右方向へ移動するように説明したが、奥側から手前側、あるいは手前側から奥側へと開閉移動するように設けてもよい。
【００５３】
上述のような遊技媒体計数装置１の下部には、メダル分配装置８を設ける。
該遊技媒体計数装置１は、ダブルホッパー式のメダル計数機であり、背部にメダル排出口１６をそれぞれのホッパーに対応して２つ設けてあり、それぞれのホッパー部２に投入されたメダルを計数して、ホッパー部２毎に別個に排出可能である。
メダル分配装置８は、図９および図１０に表すように、遊技媒体計数装置１を載置されて支持する装置本体８２を設ける。
【００５４】
装置本体８２は、上部に載置された遊技媒体計数装置１の２つのメダル排出口１６に対応してメダル落下通路８２ａの一端を開口して設け、メダル落下通路８２ａの下流側の他端は筐体からなる貯留部８２ｂに開口されている。貯留部８２ｂは、左右両端を脚部８２ｃによって支えられ、貯留部８２ｂ下部には空間部を形成している。
貯留部８２ｂは、２つのメダル落下通路８２ａに対応して内部に２つの貯留部８２ｂを形成している。
【００５５】
装置本体８２は、遊技媒体計数装置１を取外した説明図である図１０に表すように、遊技媒体計数装置１を載置可能な架台であって、載置した遊技媒体計数装置１のメダル排出口１６と対向する下方位置にメダル落下通路８２ａの一端を開口し、メダル落下通路８２ａの他端は、遊技媒体計数装置１の下部となる貯留部８２ｂへ開口する。８２ｃは脚部であり、脚部８２ｃの間は空間部を形成している。
貯留部８２ｂは、メダル落下通路８２ａから落下してくるメダルを洗浄ユニット８３へ供給するための通路として設けられており、洗浄ユニット８３の洗浄能力が落下してくるメダル数を処理できない場合に一時的に洗浄ユニット８３へ送るメダルを貯留可能である。
【００５６】
メダル落下通路８２ａからメダルを受入れる貯留部８２ｂは、底面が斜めに設けられており、最下部からメダルを排出可能に構成する。又、左側の貯留部８２ｂには、落下してきたメダルを洗浄ユニット８３へ送出すために、その最下部にメダル送出通路８２ｄが設けられており、メダル落下通路８２ａから落下して貯留部８２ｂへ入ったメダルは、貯留部８２ｂの傾斜に沿ってメダル送出通路８２ｄから洗浄ユニット８３へ滑落していく。図１０中右側の貯留部８２ｂは、落下されてくるメダルが直径３０ｍｍのものであり、その使用量が少ないことから洗浄ユニット８３による洗浄ではなく、貯留部８２ｂの下部に設置する第２洗浄ユニット９による洗浄を施した後、第２洗浄ユニット９から第２洗浄ユニット９下部に空間に設置するジョッキ２６へ貯留するよう単に開口が設けられている。この実施例では、装置本体８２は、左側が大量に使用され計数される直径２５ｍｍのメダルを貯留し、右側が少量の使用となる直径３０ｍｍのメダルを下方に配置する第２洗浄ユニット９へ排出して洗浄後ジョッキ２６に貯留するよう構成したが、これは遊技媒体計数装置１に対応させているに過ぎず、装置本体８２は遊技媒体計数装置１の右側のホッパーユニット２ａ及び左側のホッパーユニット２ｂに対応させればよい。また、場合によっては左右逆であったり、左右の一方が貯留する対象である遊技媒体をパチンコ玉として排出後パチンコ玉用の送出通路にてパチンコ機を設置している島へ返却するようにしてもよく、この場合にはパチンコ玉揚送装置によって島上部へパチンコ玉が揚送される。更にまた、右側の貯留部８２ｂ下部には第２洗浄ユニット９を設けずに、単にジョッキ２６のみを設置し、直径３０ｍｍメダルを貯留回収するようにしてもよく、直径３０ｍｍメダルの使用量が特に少ない場合には有効であり、第２洗浄ユニット９を設けないのでコストの削減に繋がる。
【００５７】
右側の貯留部８２ｂ下部に少量のメダルを洗浄可能な第２洗浄ユニット９を載置する場合には、右側の貯留部８２ｂの開口８２ｅ周囲下面に、第２洗浄ユニット９を設置可能な係止部を設けており、第２洗浄ユニット９にもこの係止部と係止可能な係止部を設ける。第２洗浄ユニット９は、図１１に表すように、筐体９１の内部に、メダル通路９２と、洗浄部９３と、排出口９４とからなる。メダル通路９２は、第２洗浄ユニット９を貯留部８２ｂ下部へ設置した際に、貯留部８２ｂの開口８２ｅと対向する位置に設けてある。そして、メダル通路９２は、筐体９１の上面から下面にかけて設けてあり、メダル通路９２ａ、９２ｂの中間部に洗浄部９３が設置される。拭き布ベルト９３ａは、ベルトコンベア状に拭き布のベルトをぴんと張った状態でそれぞれ対向して設ける。対向した拭き布ベルト９３ａの間隙は、メダルの厚さより稍狭い間隔である。そして拭き布ベルト９３ａは、モータにより駆動される。洗浄部９３は、上下に対向させた拭き布ベルト９３ａからなり、拭き布ベルト９３ａの間に入ったメダルは拭き布ベルト９３ａによって拭取られながら対向側へ移動され再びメダル通路９２ｂへ戻される。洗浄部９３の拭き布ベルト９３ａは、メダルを挟み込んだ後メダルを拭き布ベルト９３ａの中間部に位置させて後、上下の拭き布ベルト９３ａをそれぞれ逆方向へ所定期間（例えば０．３秒）毎に回転方向を変更させながら回転させて中間位置にあるメダルを拭取るようにしてもよい。但し上側布ベルト９３ａのメダル通路９２ａ方向への移動距離は下側布ベルト９３ａのメダル通路９２ｂ方向への移動距離より短く、反対に上側布ベルト９３ａのメダル通路９２ｂ方向への移動距離は下側布ベルト９３ａのメダル通路９２ａ方向への移動距離より長くなるよう制御され、メダルが上側布ベルト９２ａ方向に逆流することを防止する。拭き布ベルト９３ａによって拭取られたメダルは、メダル通路９２ｂ側からメダル通路９２ｂへ吐き出され、再びメダル通路９２ｂを滑落して排出口９４から排出される。排出口９４の下部には排出口９４から排出されるメダルを貯留可能にジョッキ２６が載置され用意されている。排出口９４には、基端部を回動中心として自由端が排出口上面に沿って水平方向へ首を振るように回動可能な掃出し装置９６を設ける。これにより、排出口９４の下方に設置しておくメダルジョッキ２６を２つとしても、それぞれのメダルジョッキ２６へ略均等にメダルを貯留可能である。
【００５８】
装置本体８２のメダル送出通路８２ｄによって直径２５ｍｍのメダルが供給される洗浄ユニット８３は、メダル通路８２ｂから供給されるメダルを受領するメダル受領孔８３ａを筐体下方側面に開口している。そして筐体内部にはメダル受領孔８３ａに連設してメダル揚送部８３ｂを設ける。メダル揚送部８３ｂは、相互に対向させたベルトコンベア状の搬送手段の間にメダルを挟んで揚送可能な装置であり、上部はメダル洗浄部８３ｃへと開口されてメダルをメダル洗浄部８３ｃへ排出可能である。メダル洗浄部８３ｃは、供給されたメダルを研磨及び洗浄可能なそれぞれの装置を内蔵し、供給されたメダルを上方から下方へ移動させながら研磨及び洗浄を行う。メダル洗浄部８３ｃの下部にはジョッキ載置部８３ｄを設け、メダル洗浄部８３ｃから排出されるメダルをジョッキ２６へ貯留可能とする。
尚、この実施例では、洗浄ユニット８３は、遊技媒体計数装置１の左側のホッパーユニット２ｂ、即ち装置本体８２の左側の貯留部８２ｂから排出されるメダルのみを洗浄するように構成したが、装置本体８２の左右両貯留部８２ｂからのメダルを洗浄及び研磨可能にしてもよい。この場合には、メダル受領孔８３ａ、メダル揚送部８３ｂ、及び、メダル洗浄部８３ｃを左右対称となるようにもう一組筐体中に内蔵すればよい。勿論この場合には装置本体８２の右側の貯留部８２ｂも左側同様にメダル送出通路８２ｄを設けて構成する。そして洗浄ユニット８３では、メダル洗浄部８３ｃによって洗浄されたメダルは排出口８３ｈ５から排出される。この排出口８３ｈ５は、第２洗浄ユニット９の排出口９４と共にメダル分配装置１の排出口である。尚、実施例１では、メダル分配装置１を装置本体８１と洗浄ユニット８３とから構成したが、装置本体８２のみから構成しても良く、この場合にはメダル送出通路８２ｄは単に下方に開放されてなり、メダル送出通路８２ｄ及び開口８２ｅの下部にジョッキ２６を設置すれば良く、この場合にはメダル分配装置１の排出口はメダル送出通路８２ｄ及び開口８２ｅである。
【００５９】
洗浄ユニット８３には、正面側の筐体表面に、実施例１の遊技媒体計数装置１に設けた表示部１３及び操作部１２と同様に表示部８３ｅ及び操作部８３ｆを設け、遊技媒体計数装置１と電気的に接続されて遊技媒体計数装置１の計数した計数値を表示可能にすると共に遊技媒体計数装置１の操作を可能とする。勿論、洗浄ユニット８３にこれらを設けずに遊技媒体計数装置１のみで行えるように構成してもよく、又、遊技媒体計数装置１には表示部１３及び操作部１２を設けずに洗浄ユニット８３のみで操作可能に構成してもよい。
尚、図１０では、メダル送出通路８２ｄ及びメダル受領孔８３ａの位置関係が、メダル送出通路８２ｄよりメダル受領孔８３ａの洗浄ユニット８３側の方が高いように図示されているが、実際にはメダル受領孔８３ａの洗浄ユニット８３側の方が低くなっており、自然と洗浄ユニット８３側へメダルが搬送されるようになっている。尚、このあたりの構造は、特に限定されるものではなく、例えばメダル受領孔８３ａから洗浄ユニット８３の、メダル揚送部８３ｂまでの間にメダルを搬送可能な搬送ベルトを設置してメダルを１枚ずつ搬送するようにしても良い。
【実施例２】
【００６０】
上記実施例では、遊技媒体計数装置１は、遊技媒体計数装置１同様メダル排出口１６が左右それぞれに設けてあるが、以下には遊技媒体計数装置１にメダル排出口１６が１つのみ存在する遊技媒体計数装置１を用いる場合を説明する。
図１２に表すように、遊技媒体計数装置１は、実施例１に説明した遊技媒体計数装置１同様であるが、左右それぞれの計数部２３によって計数されたメダルのメダル排出口１６を左右合わせて１つとする。特に図示はしないが、実施例１に設けた左側のホッパーユニット２ｂに設けるメダル排出口を右側のホッパーユニット２ａ位置まで延長し、左右それぞれのホッパー部２から排出されるメダルを右側のホッパーユニット２ａから排出可能に構成する。遊技媒体計数装置１のその他は第１実施例の遊技媒体計数装置１同様である。
【００６１】
装置本体８２は、図１２に表すように、先の例と異なり貯留部８２ｂを１つに構成する。これは、遊技媒体計数装置１から排出される左右の計数ユニットからメダルが混ざって供給され、且つ装置本体８２で分配しないからである。そして、装置本体８２のメダル落下通路８２ａもまた１つであり、遊技媒体計数装置１のメダル排出口１６と対向する位置に設ける。同様に、洗浄ユニット８３へメダルを排出する開口８２ｅも１つのみ設ける。
洗浄ユニット８３は、開口８２ｅから供給されるメダルを受領可能に開口８２ｅ位置にメダル受領孔８３ａを開口し、メダル受領孔８３ａに連設してメダル揚送部８３ｂを設ける。これらは先の洗浄ユニット８３同様である。更に、揚送部８３ｂの上部から排出されるメダルを受領して洗浄可能メダル洗浄部８３ｃを設ける。
メダル洗浄部８３ｃは、先の例と異なるので詳説する。
メダル洗浄部８３ｃは、図１２に表すように、洗浄装置８３ｇを揚送部８３ｂからのメダルを引受けるように洗浄ユニット８３上部に設ける。洗浄装置８３ｇは、先の同様（但し掃出し装置９６は設けず単にメダルを排出するのみである。）に構成しメダルを排出可能である。洗浄装置８３ｇの下部には、分配ユニット８３ｈを設ける。分配ユニット８３ｈは、洗浄装置８３ｇで洗浄されたメダルを受領し、該メダルをメダルの大きさ毎に分配可能である。
【００６２】
即ち、分配ユニット８３ｈは、メダル搬送機構を設け、搬送途中でメダルを分配する装置である。分配ユニット８３ｈは、例えば、図１３に表すように、直径３０ｍｍのメダルを載置する下部搬送ベルトレーン８３ｈ２を、左右に設ける。この時左右の下部搬送ベルトレーン８３ｈ２の間隔を直径３０ｍｍメダルＭ１はベルト間に落下しないが直径２５ｍｍメダルＭ２はベルト間に落下してしまうような２６ｍｍ至２７ｍｍ程度の間隔となるように並べる。更に下部搬送ベルトレーン８３ｈ２に載置されるメダルを上方より付勢接触させる上部搬送ベルト８３ｈ３を設ける。又、下部搬送ベルトレーン８３ｈ２の側部には、メダルＭ２が搬送方向の左右へ移動しないようにガイド板８３ｈ４を設ける。但し、同図中右側のガイド板８３ｈ４は図が見にくくなるので省略している。更に、分配ユニット８３ｈの搬送上流側には、メダル入り口８３ｈ７を設ける。メダル入り口８３ｈ７は、洗浄装置８３ｇで洗浄が終了して排出された直径２５ｍｍのメダルおよび直径３０ｍｍのメダルが落下されて受領する。又搬送下流にはメダル排出口８３ｈ５、８３ｈ６を設ける。このような分配ユニット８３ｈでは、そして下部搬送ベルトレーン８３ｈ２及び上部搬送ベルト８３ｈ３によって挟持されて上流から下流へ搬送されるメダルＭ１、Ｍ２はその搬送途中に於て、下部搬送ベルトレーン８３ｈ２相互間の間隙８３ｈ４より直径の小さな直径２５ｍｍメダルＭ２は間隙から下部へ落下する。一方直径３０ｍｍメダルＭ１は、間隙８３ｈ４へは落下せずに搬送されることとなる。分配ユニット８３ｈは落下しなかった直径３０ｍｍメダルＭ１の排出口８３ｈ５と落下してしまった直径２５ｍｍメダルＭ２の排出口８３ｈ６とを設ける。この排出口８３ｈ５及び排出口８３ｈ６がメダル分配装置１の排出口を形成する。
【００６３】
そして、洗浄ユニット８３には、分配ユニット８３ｈによって分配されたメダルをそれぞれ貯留するための貯留部８３ｊ及び貯留部８３ｋを設ける。
従って、分配ユニット８３ｈの排出口８３ｈ５は貯留部８３ｊに開口し、分配ユニット８３ｈの排出口８３ｈ６は貯留部８３ｋに開口する。そして、貯留部８３ｊ及び貯留部８３ｋにはジョッキ２６を載置してメダルを貯留可能としている。
上記の例では、洗浄ユニット８３において洗浄される遊技媒体をメダルとして説明したが、遊技媒体はパチンコ玉でもよく、この場合には洗浄ユニット８３内にパチンコ玉揚送装置を設ければよい。このパチンコ玉揚送装置は、既に従来から各種あるものを用いればでよいので説明は省略する。同様に、遊技媒体計数装置８に用いられる遊技媒体も左右何れかあるいは両方をパチンコ玉としてもよく、遊技媒体計数装置１のホッパーユニット２を適宜選択して用い、これに合った装置本体８２を用意すれば足りる。
尚、図１２では、メダル送出通路８２ｄ及びメダル受領孔８３ａの位置関係が、メダル送出通路８２ｄよりメダル受領孔８３ａの洗浄ユニット８３側の方が高いように図示されているが、実際にはメダル受領孔８３ａの洗浄ユニット８３側の方が低くなっており、自然と洗浄ユニット８３側へメダルが搬送されるようになっている。尚、このあたりの構造は、特に限定されるものではなく、例えばメダル受領孔８３ａから洗浄ユニット８３の、メダル揚送部８３ｂまでの間にメダルを搬送可能な搬送ベルトを設置してメダルを１枚ずつ搬送するようにしても良い。
【実施例３】
【００６４】
実施例３は、メダル洗浄機能を設けない実施例であり、図１４に表すように、実施例１の装置本体８２のみでメダル分配装置８を構成する。そして、このメダル分配装置８では、メダル送出通路８２ｄおよび開口８２ｅは単に該装置８下方の空間部へ開口するのみであり、メダル送出通路８２ｄおよび開口８２ｅ下方にはそれぞれジョッキ２６を載置されて、メダルを貯留回収する。従って、この実施例３ではメダル送出通路８２ｄおよび開口８２ｅがメダル分配装置１の排出口を構成する。
このようにメダル分配装置８を簡単な構成とすることでも、メダル分配装置８上部に載置されているダブルホッパー式からなる遊技媒体計数装置１が、左右それぞれのホッパー部２毎に設ける計数部２３によって計数したメダルを左右それぞれのホッパー部２毎に設けるメダル排出口１６から排出するので、それぞれのメダル排出口１６に対応して設けたメダル投入口８２ａがメダルを受領してメダル送出通路８２ｄおよび開口８２ｅからジョッキ２６へ排出した時には、直径２５ｍｍのメダルおよび直径３０ｍｍのメダルは既に分配されている。従って、メダル送出通路８２ｄおよび開口８２ｅ下部のジョッキ２６では、メダルは分配されており、単に各ジョッキ２６を回収することでそれぞれのメダル毎に回収可能である。
【００６５】
尚、実施例３では、最も簡単な構成を説明したが、メダル分配装置８の何れかの排出口、例えば開口８２ｅの後に、図１０に表す実施例と同様に第２洗浄ユニット９を設け、第２洗浄ユニット９の排出口９４をメダル分配装置８の一方の排出口としてもよく、このように構成することで、メダル分配装置８では、少量のみ回収される直径３０ｍｍのメダルのみを洗浄終了した状態で回収可能に構成してもよい。勿論、第２洗浄ユニット９を直径２５ｍｍのメダルを回収する側のみに設置してもよいし、両側に設置してもよい。
また、実施例３の他の実施例として、図１５に表すように、１つのメダル投入口８２ａのみを有するように構成することも可能である。これは、メダル分配装置８の上部に載置されるダブルホッパー式の遊技媒体計数装置１が１つのメダル排出口１６のみを設けてあり、遊技媒体計数装置１から排出されるメダルが混合されている場合に有効な構成である。
【００６６】
このようなメダル分配装置８では、メダル投入口８２ａから投入されるメダルが混合されているので、遊技媒体計数装置１から受領したメダルを分配するユニットが必須である。この分配するユニットは、メダル分配装置８の貯留部８２ｂ下部に設ける。
即ち、メダル分配装置８は、図１５に表すように、漏斗状に形成された貯留部８２ｂの最下部となる中央に開口８２ｆを設け、該開口８２ｆの下部に分配ユニット８３ｈを設置する。この分配ユニット８３ｈは、先に説明した分配ユニット８３ｈと同様であり、分配ユニット８３ｈの上部に設ける開口が貯留部８２ｂの開口８２ｆと対向して設けられて、貯留部８２ｂに投入されたメダルを受領する。このように分配ユニット８３ｈを開口８２ｆの下部に設置することで、貯留部８２ｂに混合されて受入れられた直径２５ｍｍのメダルおよび直径３０ｍｍのメダルは、分配ユニット８３ｈによって分配され、それぞれの排出口８３ｈ５および８３ｈ６から排出される。従って、それぞれの排出口８３ｈ５および８３ｈ６下部に設置したジョッキ２６には同じ種類のメダルのみが回収されることとなる。
【００６７】
上記各実施例では、装置本体８２には貯留部８２ｂを設け、メダル落下通路８２ａから投入されたメダルが該貯留部８２ｂを通過して開口８２ｆから排出されるように構成した。しかしながら、メダル落下通路８２ａを設ける数を複数とした場合に、メダル落下通路８２ａから投入されたメダルを１つ又は複数設ける排出口へ送出させる前に、メダル落下通路８２ａから１つ又は複数設ける排出口へメダルを導く送出通路８２ｄが１つの場合には、所定のメダル落下通路８２ａ以外を閉状態として一時的に排出を停止させる遊技媒体誘導手段８４を設けてれば良い。この遊技媒体誘導手段８４は、排出口である開口８２ｅが複数設ける場合には、複数のメダル落下通路８２ａから投入されたメダルのうち同種のメダルを遊技媒体誘導手段８４がその種類毎に纏めて所定の開口８２ｅから排出させるように構成してもよい。
【００６８】
即ち、図１６（ａ）に表すように、３つのメダル落下通路８２ａを設けると共に１つの開口８２ｅを設け、該落下通路８２ａからは貯留部８２ｂを設けずにメダル通路８２ｇによって開口８２ｅと連結する。このメダル通路８２ｇは、途中に合流部８２ｈによって３つのメダル落下通路８２ａが１つに合流されると共に合流された後の下流側に開口８２ｅを開口する。そしてメダル通路８２ｇの合流部８２ｈには、それぞれのメダル通路８２ｇを開閉可能な遊技媒体誘導手段８４を設ける。
遊技媒体誘導手段８４は、ソレノイドによってメダル通路８２ｇを開閉可能なシャッター状からなり、図９に表すように別途設ける制御部８５の制御によって何れのメダル通路８２ｇを開状態とさせ何れのメダル通路８２ｇを閉状態とさせるかを選択されて開閉される。制御部８５は、先に説明した表示部８３ｅ、操作部８３ｆと接続されて表示部８３ｅへの表示や、該表示操作の入力をされる操作部８３ｆの操作に従った制御を行うが、それに加えて遊技媒体誘導手段８４の開閉制御をも行う。この制御手段８５による開閉制御は、メダル通路８２ｇに遊技媒体が流れているか否かを感知するためにそれぞれのメダル通路８２ｇに設けたセンサー（図示せず）からの情報によって遊技媒体誘導手段８４の制御を行う。即ち、何れかのメダル通路８２ｇにメダルが流れてきたことを制御部８５がセンサー（図示せず）によって検知すると、検知したメダル通路８２ｇの遊技媒体誘導手段８４を作動させ開状態とすると共に該メダル通路８２ｇ以外のメダル通路８２ｇを閉状態とするようにと遊技媒体誘導手段８４を作動させる。これにより最初にメダルが流れたメダル通路８２ｇが開状態となり、該メダル通路８２ｇを通って開口８２ｅからメダルを排出可能となる。そして、それ以外のメダル通路８２ｇは閉状態なので、これらからのメダルが混入することがなく、開状態のメダル通路８２ｇへメダルを投入した同種のメダルのみが開口８２ｅから排出される。該メダル通路８２ｇに設けたセンサー（図示せず）がメダルの流れが無いことを感知することでメダルを排出していたメダル通路８２ｇでのメダル排出が終了したことを制御部８５が検知すると、次いでメダルが有ることをセンサー（図示せず）が検知している他のメダル通路８２ｇの遊技媒体誘導手段８４を開状態とする。この時、それまで開状態であったメダル通路８２ｇは閉状態にする。すると、開状態となったメダル通路８２ｇからメダルが流れ合流部８２ｈを経由して開口８２ｅからメダルの排出が行われる。このメダル通路８２ｇからのメダル排出が終了すると、前と同様に次のメダル通路８２ｇを開状態としてメダルの排出を順次行う。
【００６９】
このように、遊技媒体誘導手段８４が順次開状態となることで、１つの開口８２ｅから同種のメダルを連続して排出可能である。尚、全てのメダル落下通路８２ａから投入されるメダル種が同種の場合には、全ての遊技媒体誘導手段８４を開状態としてメダルの排出を行う。又、予め定める複数のメダル落下通路８２ａから同種のメダルが投入されることが予め設定されている場合には、該同種のメダルを落下されるメダル落下通路８２ａが同時に開状態となるように遊技媒体誘導手段８４を制御することも可能である。
図１６（ｂ）に表すように、メダル分配装置８に複数のメダル落下通路８２ａと複数の開口８２ｅとを設けた場合には、合流部８２ｈの下流側に位置する複数の開口８２ｅ側もメダル落下通路８２ａ側同様に遊技媒体誘導手段８４を設け、該遊技媒体誘導手段８４の下流側にはそれぞれの開口８２ｅへ通ずるメダル排出路８６を設けて合流部８２ｈと開口８２ｅとを連結する。そして、何れかのメダル通路８２ｇにメダルが流れてきたことを制御部８５がセンサー（図示せず）によって検知すると、検知したメダル通路８２ｇの遊技媒体誘導手段８４を作動させ開状態とすると共に該メダル通路８２ｇ以外のメダル通路８２ｇを閉状態とするようにと遊技媒体誘導手段８４を作動させる。これにより最初にメダルが流れたメダル通路８２ｇが開状態となり、該メダル通路８２ｇを通過して合流部８２ｈへ流入可能となる。と同時に制御部８５では、開状態としたメダル落下通路８２ａに対応させる開口８２ｅが予め定められており、該対応した開口８２ｅへメダルが流れるように、該開口８２ｅに連通するメダル排出路８６が開状態となるように該メダル排出路８６の遊技媒体誘導手段８４を開状態とする。そして、それ以外の遊技媒体誘導手段８４は閉状態を保たせる。
【００７０】
このように、メダルが流れてきたメダル落下通路８２ａと、これに対応付けられたメダル排出路８６を開状態とすることで、メダルが流れてきたメダル落下通路８２ａからはこれに対応した開口８２ｅへのみメダルを排出可能となる。
そして、開状態としているメダル落下通路８２ａに連通下メダル通路８２ｇへのメダルの通過が無くなったことをセンサー（図示せず）によって制御部８５が検知すると、制御部８５では、開状態であったメダル通路８２ｇ及びこれと対応されたメダル排出路８６を閉状態とするようにそれぞれの通路を開閉する遊技媒体誘導手段８４を閉状態とする。
次いで制御部８５では、メダルが有ることをセンサー（図示せず）が検知している他のメダル通路８２ｇの遊技媒体誘導手段８４、及びこれに対応付けられた開口８２ｅと連通するメダル排出路８６の遊技媒体誘導手段８４を開状態とする。すると、開状態となったメダル通路８２ｇからメダルが流れ合流部８２ｈを経由して、前記同様対応付けられた開口８２ｅからメダルの排出が行われる。
このように、複数のメダル落下通路８２ａと複数の開口８２ｅとを設けた場合には、それぞれ開状態の落下通路８２ａから、これに対応させた開口８２ｅへメダルを排出させることが可能となる。
【００７１】
次いで、図１６（ｃ）に表すように１つのメダル落下通路８２ａと複数の開口８２ｅとを設けた場合を説明する。この場合には、制御部８５は、遊技媒体計数装置１と通信可能に接続され、遊技媒体計数装置１の何れのホッパー部２からメダルが排出されるかを信号受領可能に構成されている。即ち、遊技媒体計数装置１では、ホッパーユニット２ａの計数部２３が計数を行っておりメダルが排出されていることをメダル分配装置８へ信号出力するので、メダル分配装置８では制御部８５がこの信号を受領して、計数しているホッパーユニット２ａのメダル排出口１６と対応して設置されているメダル落下通路８２ａからメダルの流入が有ることを検知する。そして、該検知に基づいて、落下してくるメダルの種類（メダル落下通路８２ａ）と予め対応付けられた開口８２ｅへメダルが流入されるように、該開口８２ｅのメダル排出路８６に設けた遊技媒体誘導手段８４を開状態とさせそれ以外の遊技媒体誘導手段８４は閉状態とする。これにより、前記同様同種のメダルを予め定める開口８２ｅから排出可能となる。該メダル落下通路８２ａからのメダルの落下が無くなった場合は、次いで遊技媒体計数装置１からの信号によって検知されるメダル排出路８６を開状態とするとともに他のメダル排出路８６を閉状態とするように遊技媒体誘導手段８４を動作させる。
尚、上記例では、メダルが排出されるのを開口８２ｅとしたが、開口８２ｅに限らずメダル送出通路８２ｄであっても良く、開口８２ｅとメダル送出通路８２ｄであっても良い。
【産業上の利用可能性】
【００７２】
この発明は遊技媒体を計数可能な遊技媒体計数装置を用いて構成するパチンコホールあるいはメダルゲームホールに実施可能である。
【図面の簡単な説明】
【００７３】
【図１】実施例１に載置する遊技媒体計数装置を表す斜視説明図
【図２】同装置の一部分を表す斜視説明図
【図３】同装置の開閉手段を開状態とした斜視説明図
【図４】同装置のホッパー本体及び開閉手段を取外した状態を表す斜視説明図
【図５】図１を背面側から見た背面斜視説明図
【図６】同装置の開閉手段を表す斜視説明図
【図７】同装置の開閉駆動手段を図示した斜視説明図
【図８】同装置の開閉手段の他の実施例を表す説明図
【図９】実施例１を表す斜視説明図
【図１０】実施例１を分解および投影して表す斜視説明図
【図１１】実施例１の部分を表す斜視説明図
【図１２】実施例２を表す斜視説明図
【図１３】実施例２を表す部分説明図
【図１４】実施例３表す斜視説明図
【図１５】実施例３の他の例を表す斜視説明図
【図１６】他の遊技媒体排出構造の実施例の説明図
【図１７】ホッパー本体一体型の胸壁を表す説明図
【図１８】別体型の胸壁を表す説明図
【図１９】従来例１を表す断面説明図
【符号の説明】
【００７４】
１      遊技媒体計数装置
１１    筐体
１２    操作部
１３    表示部
１４ａ〜１４ｄ
操作ボタン
１５    背面扉
１６    メダル排出口
１７    制御部
２      ホッパー部
２ａ    ホッパーユニット
２１    ホッパー本体
２１ａ  右ホッパー本体
２１ｂ  左ホッパー本体
２１ｃ  前後壁部
２１ｄ  閉状態係止手段
２１ｅ  収納スリット
２１ｆ  扉本体立設部
２２    ホッパーメダル送り部
２２ａ  回転板
２２ｂ  攪拌部
２２ｃ  メダル通路
２３    計数部
２４    孔
２５    引き戸レール
２６    ジョッキ
３      引違戸３
３ａ    右引き戸
３ｂ    左引き戸
３１    扉本体
３２    取っ手部
３３    係止孔
４      鍵
５      開閉駆動手段
５１    駆動部
５２    チェーン
５３    プーリー
６      シャッター
６１    シャッター本体
６１ａ  シャッター片
６２    シャッターチェーン
６３    シャッター駆動部
６５    シャッター収納部
６６    シャッタープーリー
６７    シャッターフレーム
７      シャッター移動スペース
７１    中間スペース部
７２    シャッターガイドスペース
８      メダル分配装置
８２    装置本体
８２ａ  メダル落下通路
８２ｂ  貯留部
８２ｃ  脚部
８２ｄ  メダル送出通路
８２ｅ  開口
８２ｆ  開口
８２ｇ  メダル通路
８２ｈ  合流部
８３    洗浄ユニット
８３ａ  メダル受領孔
８３ｂ  メダル揚送部
８３ｃ  メダル洗浄部
８３ｄ  ジョッキ載置部
８３ｅ  表示部
８３ｆ  操作部
８３ｇ  洗浄装置
８３ｈ  分配ユニット
８３ｈ１  メダル搬送機構
８３ｈ２  下部搬送ベルトレーン
８３ｈ３  上部搬送ベルト
８３ｈ４  ガイド板
８３ｈ５  排出口
８３ｈ６  排出口
８３ｈ７  メダル入り口
８３ｊ  貯留部
８３ｋ  貯留部
８４    遊技媒体誘導手段
８５    制御部
８６    メダル排出路
９      第２洗浄ユニット
９１      筐体
９２      メダル通路
９３      洗浄部
９３ａ    拭き布ベルト
９４      排出口
９５      開口
９６      掃出し装置
【図１】
2007159789.tif 000003
【図２】
2007159789.tif 000004
【図３】
2007159789.tif 000005
【図４】
2007159789.tif 000006
【図５】
2007159789.tif 000007
【図６】
2007159789.tif 000008
【図７】
2007159789.tif 000009
【図８】
2007159789.tif 000010
【図９】
2007159789.tif 000011
【図１０】
2007159789.tif 000012
【図１１】
2007159789.tif 000013
【図１２】
2007159789.tif 000014
【図１３】
2007159789.tif 000015
【図１４】
2007159789.tif 000016
【図１５】
2007159789.tif 000017
【図１６】
2007159789.tif 000018
【図１７】
2007159789.tif 000019
【図１８】
2007159789.tif 000020
【図１９】
2007159789.tif 000021